(57)【要約】【課題】光のけられを抑えつつ複数の基板同士を強固に連結する。【解決手段】連結部材９は、第１のＬＥＤモジュール４Ａが有する第１のＬＥＤ基板４１Ａの縁に係合する１つ以上の第１係合部９１を有する。連結部材９は、第２のＬＥＤモジュール４Ｂが有する第２のＬＥＤ基板４１Ｂの縁に係合する１つ以上の第２係合部９２を有する。連結部材９は、第１係合部９１と第２係合部９２を支持する支持部９０を有する。連結部材９は、第１のＬＥＤ基板４１Ａ及び第２のＬＥＤ基板４１Ｂの裏面側に支持部９０を配置した状態で第１のＬＥＤモジュール４Ａと第２のＬＥＤモジュール４Ｂを連結している。【選択図】        図１２
2019067628.tif 000002
【特許請求の範囲】
【請求項１】
複数のＬＥＤモジュールと、
前記複数のＬＥＤモジュールのうちで隣り合う第１のＬＥＤモジュールと第２のＬＥＤモジュールとを連結する連結部材と
を備え、
前記第１及び第２のＬＥＤモジュールを含む前記複数のＬＥＤモジュールの各々は、
１つ以上のＬＥＤと、
前記ＬＥＤが表面に実装されているＬＥＤ基板と
を有し、
前記連結部材は、
前記第１のＬＥＤモジュールが有する第１のＬＥＤ基板の縁に係合する１つ以上の第１係合部と、
前記第２のＬＥＤモジュールが有する第２のＬＥＤ基板の縁に係合する１つ以上の第２係合部と、
前記第１係合部と前記第２係合部を支持する支持部と
を有し、前記第１のＬＥＤ基板及び前記第２のＬＥＤ基板の裏面側に前記支持部を配置した状態で前記第１のＬＥＤモジュールと前記第２のＬＥＤモジュールを連結している
ことを特徴とする光源装置。
【請求項２】
前記連結部材は、前記第１係合部と前記第２係合部を各々２つ以上有しており、
２つ以上の前記第１係合部の各々は、前記第１のＬＥＤ基板の複数の縁のうちで前記第１のＬＥＤ基板に実装されている前記ＬＥＤを挟んで対向する２つ以上の縁に１つずつ係合するように構成され、
２つ以上の前記第２係合部の各々は、前記第２のＬＥＤ基板の複数の縁のうちで前記第２のＬＥＤ基板に実装されている前記ＬＥＤを挟んで対向する２つ以上の縁に１つずつ係合するように構成される
ことを特徴とする請求項１記載の光源装置。
【請求項３】
前記第１のＬＥＤ基板の縁において、前記第１係合部が係合する部位に溝が設けられ、
前記第２のＬＥＤ基板の縁において、前記第２係合部が係合する部位に溝が設けられている
ことを特徴とする請求項１又は２記載の光源装置。
【請求項４】
前記第１のＬＥＤ基板の表面に実装されて前記第１のＬＥＤ基板に実装されている前記ＬＥＤと電気的に接続されている１つ以上の第１コネクタと、
前記第２のＬＥＤ基板の表面に実装されて前記第２のＬＥＤ基板に実装されている前記ＬＥＤと電気的に接続されている１つ以上の第２コネクタと、
前記第１コネクタと前記第２コネクタを電気的に接続する１つ以上の電線と
を備え、
前記連結部材は、
前記第１及び第２のＬＥＤ基板の各々の表面側において、前記電線を保持する１つ以上の電線保持部を有する
ことを特徴とする請求項１〜３のいずれか１項に記載の光源装置。
【請求項５】
前記第１コネクタは、前記第２のＬＥＤ基板に隣接する前記第１のＬＥＤ基板の端部に配置され、
前記第２コネクタは、前記第１のＬＥＤ基板に隣接する前記第２のＬＥＤ基板の端部に配置されており、
前記第１のＬＥＤ基板の前記第１コネクタが配置されている前記端部に第１切欠きが設けられ、
前記第２のＬＥＤ基板の前記第２コネクタが配置されている前記端部に第２切欠きが設けられており、
前記電線保持部は、前記第１切欠き及び前記第２切り欠きに挿通される
ことを特徴とする請求項４記載の光源装置。
【請求項６】
前記支持部は四角形の板状に形成されており、
２つ以上の前記第１係合部のうちの１つの前記第１係合部と２つ以上の前記第２係合部のうちの１つの前記第２係合部とが前記支持部の１つの辺に第１の間隔を空けて並ぶように配置され、
２つ以上の前記第１係合部のうちの別の１つの前記第１係合部と２つ以上の前記第２係合部のうちの別の１つの前記第２係合部とが前記支持部の別の１つの辺に第２の間隔を空けて並ぶように配置され、
前記第１の間隔と前記第２の間隔が異なっている
ことを特徴とする請求項１〜５のいずれか１項に記載の光源装置。
【請求項７】
前記支持部は平板状に形成されており、
前記支持部の前記第１係合部を支持する部分の幅と、前記支持部の前記第２係合部を支持する部分の幅とが、前記支持部の前記部分以外の前記支持部の幅よりも小さい
ことを特徴とする請求項１〜６のいずれか１項に記載の光源装置。
【請求項８】
請求項１〜７のいずれか１項の光源装置と、
前記光源装置を収容する筐体と
を備える
ことを特徴とする照明装置。
【請求項９】
請求項８の照明装置と、
前記照明装置を支持する器具本体と
を有する
ことを特徴とする照明器具。
【請求項１０】
請求項９の照明器具を複数有し、
複数の前記照明器具は、一列に並べて配置された状態で隣り合う２つの前記照明器具を互いに電気的に接続する接続部を有している
ことを特徴とする照明システム。
【発明の詳細な説明】
【技術分野】
【０００１】
本発明は、光源装置、照明装置、照明器具並びに照明システムに関する。より詳細には、本発明は、２つ以上のＬＥＤモジュールが連結された光源装置、当該光源装置を有する照明装置、当該照明装置を有する照明器具、並びに複数の照明器具を有する照明システムに関する。
【背景技術】
【０００２】
従来例として、特許文献１記載の照明装置を例示する。特許文献１記載の照明装置は、２つの長尺の実装基板を備えている。各実装基板の表面には複数のＬＥＤ（Light Emitting Diode）が実装基板の長手方向に沿って一列に並べて実装されている。また、各実装基板の表面における長手方向の端部に、コネクタがそれぞれ実装されている。各実装基板に実装されているコネクタ同士が直接接続される。複数の実装基板は、長手方向に沿って直線状に並ぶように配置され、互いのコネクタ同士を接続した状態で押圧部材によって連結されている。
【０００３】
押圧部材は、矩形平板状のベース部と、ベース部の長手方向の両端からそれぞれ突出する突出部とを有している。押圧部材の各突出部は、隣接する２つの実装基板に設けられている貫通孔に挿入される。つまり、押圧部材は、各突出部を対応する実装基板の貫通孔に挿入させることによって、隣接する２つの実装基板を連結している。
【先行技術文献】
【特許文献】
【０００４】
【特許文献１】特開２０１７−１３０４２４号公報
【発明の概要】
【発明が解決しようとする課題】
【０００５】
ところで、特許文献１記載の従来例では、実装基板の裏面側から貫通孔に挿入されて実装基板の表面側に突出する突出部でＬＥＤの光がけられてしまうおそれがあった。
【０００６】
本発明の目的は、光のけられを抑えつつ複数の基板同士を強固に連結することができる光源装置、照明装置、照明器具並びに照明システムを提供することである。
【課題を解決するための手段】
【０００７】
本発明の一態様に係る光源装置は、複数のＬＥＤモジュールと、前記複数のＬＥＤモジュールのうちで隣り合う第１のＬＥＤモジュールと第２のＬＥＤモジュールとを連結する連結部材とを備える。前記第１及び第２のＬＥＤモジュールを含む前記複数のＬＥＤモジュールの各々は、１つ以上のＬＥＤと、前記ＬＥＤが表面に実装されているＬＥＤ基板とを有している。前記連結部材は、前記第１のＬＥＤモジュールが有する第１のＬＥＤ基板の縁に係合する１つ以上の第１係合部と、前記第２のＬＥＤモジュールが有する第２のＬＥＤ基板の縁に係合する１つ以上の第２係合部とを有している。前記連結部材は、前記第１係合部と前記第２係合部を支持する支持部を有している。前記連結部材は、前記第１のＬＥＤ基板及び前記第２のＬＥＤ基板の裏面側に前記支持部を配置した状態で前記第１のＬＥＤモジュールと前記第２のＬＥＤモジュールを連結している。
【０００８】
本発明の一態様に係る照明装置は、前記光源装置と、前記光源装置を収容する筐体とを備える。
【０００９】
本発明の一態様に係る照明器具は、前記照明装置と、前記照明装置を支持する器具本体とを有する。
【００１０】
本発明の一態様に係る照明システムは、前記照明器具を複数有する。複数の前記照明器具は、一列に並べて配置された状態で隣り合う２つの前記照明器具を互いに電気的に接続する接続部を有している。
【発明の効果】
【００１１】
本発明の光源装置、照明装置、照明器具並びに照明システムは、光のけられを抑えつつ複数の基板同士を強固に連結することができるという効果がある。
【図面の簡単な説明】
【００１２】
【図１】図１は、本発明の一態様に係る照明器具の分解斜視図である。
【図２】図２は、同上の照明器具の正面図である。
【図３】図３は、同上の照明器具の下面図である。
【図４】図４は、同上の照明器具の背面図である。
【図５】図５は、同上の照明器具の左側面図である。
【図６】図６は、同上の照明器具の右側面図である。
【図７】図７は、同上の照明器具の縦断面図である。
【図８】図８は、同上の照明器具の横断面図である。
【図９】図９は、本発明の一態様に係る照明装置（光源ユニット）の斜視図である。
【図１０】図１０は、同上の光源ユニットの分解斜視図である。
【図１１】図１１は、本発明の一態様に係る光源装置における連結部材の斜視図である。
【図１２】図１２は、同上の光源装置の一部省略した正面図である。
【図１３】図１３は、同上の光源装置の一部省略した背面図である。
【図１４】図１４は、同上の光源装置の一部省略した側面図である。
【図１５】図１５は、同上の光源ユニットの横断面図である。
【図１６】図１６は、同上の照明器具における器具本体の正面図である。
【図１７】図１７は、同上の器具本体の左側面図である。
【図１８】図１８は、本発明の一態様に係る照明システムを構成する２台の照明器具の斜視図である。
【図１９】図１９は、同上の２台の照明器具の一部破断した下面図である。
【図２０】図２０は、同上の２台の照明器具の一部省略した縦断面図である。
【図２１】図２１は、同上の照明システムにおける照明器具と入線金具の斜視図である。
【図２２】図２２は、同上の照明器具と入線金具の分解斜視図である。
【図２３】図２３は、同上の照明システムにおける照明器具と終端金具の斜視図である。
【発明を実施するための形態】
【００１３】
以下、本発明に係る光源装置、照明装置、照明器具並びに照明システムの実施形態について、図面を参照して詳細に説明する。下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１４】
本実施形態の照明器具１は、図１〜図６に示すように、照明装置に相当する光源ユニット３と、光源ユニット３を支持する器具本体２とを有している。ただし、以下の説明においては、照明器具１が造営材である壁に設置される場合を想定している。そのため、特に断りのない限り、図１に矢印で示す前後、左右、上下の各向きを照明器具１並びに光源ユニット３、器具本体２の前後、左右、上下の各向きと規定する。なお、照明器具１が設置される造営材は壁に限定されず、天井や床などの壁以外の造営材に照明器具１が設置される場合もある。
【００１５】
光源ユニット３は、図７〜図１０に示すように、光源装置１５と、点灯装置５と、筐体６と、カバー７と、２つのエンド部材８とを備えている。
【００１６】
光源装置１５は、複数（図示例では２つ）のＬＥＤモジュール４と、複数のＬＥＤモジュール４のうちで隣り合う第１のＬＥＤモジュール４Ａと第２のＬＥＤモジュール４Ｂとを連結する連結部材９とを備える。なお、光源装置１５は３つ以上のＬＥＤモジュール４を備えてもよい。
【００１７】
２つのＬＥＤモジュール４はそれぞれ、ＬＥＤ（Light Emitting Diode）４０と、複数のＬＥＤ４０を前面に実装したＬＥＤ基板４１と、ＬＥＤ基板４１の前面に実装された複数のレセプタクルコネクタ４２と、複数の電線４３とを有している。
【００１８】
ＬＥＤ基板４１は、例えば、ガラス布基材エポキシ樹脂基板などの樹脂製の絶縁基板により、左右方向を長手方向とする長尺の矩形平板状に形成されている。ただし、２つのＬＥＤ基板４１は、長手方向の寸法が異なっている。したがって、以下の説明においては、ＬＥＤ基板４１の長手方向の寸法が長い方のＬＥＤモジュール４を第１のＬＥＤモジュール４Ａと呼び、ＬＥＤ基板４１の長手方向の寸法が短い方のＬＥＤモジュール４を第２のＬＥＤモジュール４Ｂと呼ぶ場合がある。また、第１のＬＥＤモジュール４Ａが有するＬＥＤ基板４１を第１のＬＥＤ基板４１Ａと呼び、第２のＬＥＤモジュール４Ｂが有するＬＥＤ基板４１を第２のＬＥＤ基板４１Ｂと呼ぶ場合がある。
【００１９】
ＬＥＤ４０は、例えば、照明用白色ＬＥＤである。ただし、ＬＥＤは、有機発光ダイオード（Organic Light Emitting Diode）であっても構わない。ＬＥＤ４０は、ＬＥＤ基板４１の短手方向（上下方向）の中央においてＬＥＤ基板４１の長手方向（左右方向）に沿って等間隔に１列に並ぶように実装されている（図１０参照）。
【００２０】
第１のＬＥＤ基板４１Ａの前面には、合計４つのレセプタクルコネクタ４２（４２Ａ、４２Ｂ、４２Ｃ、４２Ｄ）が実装されている。４つのレセプタクルコネクタ４２Ａ〜４２Ｄのうちの２つのレセプタクルコネクタ４２Ａ、４２Ｂは、第１のＬＥＤ基板４１Ａの右側の端部前面においてＬＥＤ４０の上下両側に振り分けて実装されている。
【００２１】
残り２つのレセプタクルコネクタ４２Ｃ、４２Ｄは、第１のＬＥＤ基板４１Ａの長手方向中央の前面においてＬＥＤ４０の下側に上下方向に並べて実装されている。ただし、２つのレセプタクルコネクタ４２Ｃ、４２Ｄは、左右方向にずらして実装されている（図１０参照）。
【００２２】
第１のＬＥＤ基板４１Ａにおいて、２つのレセプタクルコネクタ４２Ｃ、４２Ｄよりも中央寄り（右寄り）の下端部に３つの電線挿通溝４４（４４Ａ、４４Ｂ、４４Ｃ）が設けられている。
【００２３】
第２のＬＥＤ基板４１Ｂの前面には、２つのレセプタクルコネクタ４２（４２Ｅ、４２Ｆ）が実装されている。２つのレセプタクルコネクタ４２Ｅ、４２Ｆは、第２のＬＥＤ基板４１Ｂの左側の端部前面においてＬＥＤ４０の上下両側に振り分けて実装されている。
【００２４】
複数（図示例では４本）の電線４３（４３Ａ、４３Ｂ、４３Ｃ、４３Ｄ）のうち１本の電線４３Ａは、第１のＬＥＤモジュール４Ａのレセプタクルコネクタ４２Ａと第２のＬＥＤモジュール４Ｂのレセプタクルコネクタ４２Ｅとを電気的に接続している（図１０参照）。
【００２５】
また、電線４３Ｂは、第１のＬＥＤモジュール４Ａのレセプタクルコネクタ４２Ｂと第２のＬＥＤモジュール４Ｂのレセプタクルコネクタ４２Ｆとを電気的に接続している。つまり、第１のＬＥＤモジュール４Ａの複数のＬＥＤ４０と第２のＬＥＤモジュール４Ｂの複数のＬＥＤ４０とは、２本の電線４３Ａ、４３Ｂと４つのレセプタクルコネクタ４２Ａ、４２Ｂ、４２Ｅ、４２Ｆとによって電気的に接続されている。
【００２６】
残り２本の電線４３Ｃ、４３Ｄのうちの１本の電線４３Ｃは、第１のＬＥＤモジュール４Ａのレセプタクルコネクタ４２Ｃとプラグコネクタ４５とを電気的に接続している。もう１本の電線４３Ｄは、第１のＬＥＤモジュール４Ａのレセプタクルコネクタ４２Ｄとプラグコネクタ４５とを電気的に接続している（図１０参照）。これら２本の電線４３Ｃ、４３Ｄは、左端の電線挿通溝４４Ａに前方から後方に挿通された後、中央の電線挿通溝４４Ｂに後方から前方へ挿通され、さらに、右端の電線挿通溝４４Ｃに前方から後方へ挿通される（図１０参照）。つまり、ＬＥＤ基板４１は、３つの電線挿通溝４４Ａ、４４Ｂ、４４Ｃに挿通させることによって２本の電線４３Ｃ、４３Ｄを張力止めしている。なお、２本の電線４３Ｃ、４３Ｄの先端に設けられているプラグコネクタ４５は、後述する点灯装置５の出力コネクタ５００と電気的に接続される。
【００２７】
連結部材９は、図１１に示すように、一対の第１係合部９１と、一対の第２係合部９２と、一対の電線保持部９３と、二対の突起９４と、支持部９０とを有している。支持部９０は、四辺形の平板状に形成されている。支持部９０の上部及び下部に、それぞれ支持部９０を前後方向に貫通する第１角孔９０１が３つずつ設けられている。支持部９０の上部に設けられた３つの第１角孔９０１は、左右方向に間隔を空けて一列に並ぶように支持部９０を貫通している。支持部９０の下部に設けられた３つの第１角孔９０１は、左右方向に間隔を空けて一列に並ぶように支持部９０を貫通している。また、支持部９０の左右両端における上下方向の中央に、支持部９０を前後方向に貫通する第２角孔９０２がそれぞれ１つずつ設けられている。ただし、第２角孔９０２は、第１角孔９０１よりも孔径を大きくするように形成されている。
【００２８】
一対の第１係合部９１及び一対の第２係合部９２の各々は、鈎形（Ｌ字形）に形成されている。各第１係合部９１は、支持部９０の前面における左上及び左下の部分に１つずつ支持されている。各第２係合部９２は、支持部９０の前面における右上及び右下の部分に１つずつ支持されている。支持部９０において、第１係合部９１を支持している部分の幅（上下方向の長さ）と、第２係合部９２を支持している部分の幅（上下方向の長さ）が、四隅の各第１角孔９０１により、支持部９０における他の部分の幅よりも小さくなっている。そのため、一対の第１係合部９１及び一対の第２係合部９２は、第１角孔９０１がない場合と比べ、支持部９０に対して上下方向に撓み易くなっている。
【００２９】
一対の電線保持部９３の各々は、鈎形（Ｌ字形）に形成されている。各電線保持部９３は、支持部９０の前面における左右方向の中央の上端及び下端の部分に１つずつ支持されている。支持部９０において、各電線保持部９３を支持している部分の幅（上下方向の長さ）が、一対の第１角孔９０１により、支持部９０の中央部分の幅（上下方向の長さ）よりも小さくなっている。そのため、一対の電線保持部９３は、第１角孔９０１がない場合に比べ、支持部９０に対して上下方向に撓み易くなっている。
【００３０】
二対の突起９４の各々は、多面体形状に形成されている。二対の突起９４のうちの一対の突起９４は、支持部９０の後面における上端から上向きに突出している。また、前方から見て、これら一対の突起９４の間に上側の電線保持部９３が配置されている。二対の突起９４のうちの残り一対の突起９４は、支持部９０の後面における下端から下向きに突出している。また、前方から見て、これら残り一対の突起９４の間に下側の電線保持部９３が配置されている。
【００３１】
連結部材９は、図１２〜図１４に示すように、一対の第１係合部９１の各々を第１のＬＥＤ基板４１Ａの右端部における上下両側の縁のうちで対応する側の縁に係合させることによって、第１のＬＥＤ基板４１Ａに取り付けられる。ここで、第１のＬＥＤ基板４１Ａの右端部における上側の縁に長方形状の上側溝４１０Ａが設けられ、第１のＬＥＤ基板４１Ａの右端部における下側の縁に長方形状の下側溝４１１Ａが設けられている。上側の第１係合部９１は、後方から上側溝４１０Ａに挿通された状態で第１のＬＥＤ基板４１Ａの前面における上側溝４１０Ａの閉鎖端の周辺部分に係合している。下側の第１係合部９１は、後方から下側溝４１１Ａに挿通された状態で第１のＬＥＤ基板４１Ａの前面における下側溝４１１Ａの閉鎖端の周辺部分に係合している。
【００３２】
また、連結部材９は、一対の第２係合部９２の各々を第２のＬＥＤ基板４１Ｂの上下両側の縁のうちで対応する側の縁に係合させることによって、第２のＬＥＤ基板４１Ｂに取り付けられる。ここで、第２のＬＥＤ基板４１Ｂの左端部における上側の縁に長方形状の上側溝４１０Ｂが設けられ、第２のＬＥＤ基板４１Ｂの左端部における下側の縁に長方形状の下側溝４１１Ｂが設けられている。上側の第２係合部９２は、後方から上側溝４１０Ｂに挿通された状態で第２のＬＥＤ基板４１Ｂの前面における上側溝４１０Ｂの閉鎖端の周辺部分に係合している。下側の第２係合部９２は、後方から下側溝４１１Ｂに挿通された状態で第２のＬＥＤ基板４１Ｂの前面における下側溝４１１Ｂの閉鎖端の周辺部分に係合している。
【００３３】
さらに、上側の電線保持部９３は、第１のＬＥＤ基板４１Ａの右上隅に設けられた第１切欠き４６Ａと、第２のＬＥＤ基板４１Ｂの左上隅に設けられた第２切欠き４６Ｂとに後方から挿通されて第１のＬＥＤ基板４１Ａ及び第２のＬＥＤ基板４１Ｂの前方に突出している。下側の電線保持部９３は、第１のＬＥＤ基板４１Ａの右下隅に設けられた第１切欠き４６Ａと、第２のＬＥＤ基板４１Ｂの左下隅に設けられた第２切欠き４６Ｂとに後方から挿通されて第１のＬＥＤ基板４１Ａ及び第２のＬＥＤ基板４１Ｂの前方へ突出している。
【００３４】
ここで、第１係合部９１及び第２係合部９２が第１のＬＥＤ基板４１Ａ及び第２のＬＥＤ基板４１Ｂの縁に係合している。そのため、特許文献１記載の従来例に比べて、複数のＬＥＤ４０から第１係合部９１までの距離及び複数のＬＥＤ４０から第２係合部９２までの距離を大きくできる。その結果、光源装置１５は、ＬＥＤ４０から放射される光のけられを抑えつつ第１のＬＥＤ基板４１Ａと第２のＬＥＤ基板４１Ｂとを強固に連結することができる。しかも、第１係合部９１は、上下方向から見て、第１のＬＥＤ基板４１Ａの前面において右端のＬＥＤ４０が実装されている位置と右端から２個目のＬＥＤ４０が実装されている位置との間に位置している（図１２及び図１４参照）。同じく、第２係合部９２は、上下方向から見て、第２のＬＥＤ基板４１Ｂの前面において左端のＬＥＤ４０が実装されている位置と左端から２個目のＬＥＤ４０が実装されている位置との間に位置している。したがって、第１のＬＥＤ基板４１Ａの右端のＬＥＤ４０及び右端から２個目のＬＥＤ４０から放射される光を第１係合部９１で更にけられ難くできる。同様に、第２のＬＥＤ基板４１Ｂの左端のＬＥＤ４０及び左端から２個目のＬＥＤ４０から放射される光を第２係合部９２で更にけられ難くできる。
【００３５】
さらに、連結部材９では、一対の第１係合部９１が第１のＬＥＤ基板４１Ａの上下両側の縁にそれぞれ１つずつ係合し、一対の第２係合部９２が第２のＬＥＤ基板４１Ｂの上下両側の縁にそれぞれ１つずつ係合している。したがって、光源装置１５は、連結部材９による第１のＬＥＤ基板４１Ａと第２のＬＥＤ基板４１Ｂの連結強度を高めることができる。
【００３６】
また、第１係合部９１及び第２係合部９２は、第１のＬＥＤ基板４１Ａと第２のＬＥＤ基板４１Ｂのそれぞれの上下両側の縁に設けられた溝（上側溝４１０Ａ；４１０Ｂと下側溝４１１Ａ；４１１Ｂ）に１つずつ挿通される。これにより、連結部材９が第１及び第２のＬＥＤ基板４１Ａ、４１Ｂの短手方向（上下方向）において第１及び第２のＬＥＤ基板４１Ａ、４１Ｂの外にはみ出さないので、光源装置１５の小型化を図ることができる。
【００３７】
また、一対の電線保持部９３のうち上側の電線保持部９３は、第１のＬＥＤ基板４１Ａのレセプタクルコネクタ４２Ａと第２のＬＥＤ基板４１Ｂのレセプタクルコネクタ４２Ｅを電気的に接続する電線４３Ａを引っ掛けるようにして保持している（図１２参照）。下側の電線保持部９３は、第１のＬＥＤ基板４１Ａのレセプタクルコネクタ４２Ｂと第２のＬＥＤ基板４１Ｂのレセプタクルコネクタ４２Ｆを電気的に接続する電線４３Ｂを引っ掛けるようにして保持している。ここで、一方の電線保持部９３は、第１のＬＥＤ基板４１Ａ及び第２のＬＥＤ基板４１Ｂの左右方向から見て、レセプタクルコネクタ４２Ａ、４２Ｂを最短距離で結ぶ仮想の直線よりもＬＥＤ４０から遠い位置で電線４３Ａを保持している。同様に、他方の電線保持部９３は、第１のＬＥＤ基板４１Ａ及び第２のＬＥＤ基板４１Ｂの左右方向から見て、レセプタクルコネクタ４２Ｅ、４２Ｆを最短距離で結ぶ仮想の直線よりもＬＥＤ４０から遠い位置で電線４３Ｂを保持している。したがって、第１のＬＥＤ基板４１Ａの右端のＬＥＤ４０及び第２のＬＥＤ基板４１Ｂの左端のＬＥＤ４０から放射される光が電線４３Ａ、４３Ｂにけられ難くなる。
【００３８】
さらに、光源装置１５は、一対の電線保持部９３を第１切欠き４６Ａと第２切欠き４６Ｂに挿通させ、第１及び第２のＬＥＤ基板４１Ａ、４１Ｂの短手方向（上下方向）において第１及び第２のＬＥＤ基板４１Ａ、４１Ｂの外にはみ出さない。その結果、光源装置１５は、一対の電線保持部９３を第１及び第２のＬＥＤ基板４１Ａ、４１Ｂの外にはみ出さないので、小型化を図ることができる。
【００３９】
点灯装置５は、外部の電源（例えば、商用の電力系統）から供給される交流電力を直流電力に変換する電力変換回路と、外部から受け取る制御信号に応じて電力変換回路を制御する制御回路とを有している。電力変換回路は、例えば、力率改善回路と、降圧チョッパ回路（バックコンバータ）とを有している。制御回路は、例えば、バックコンバータをＰＷＭ（Pulse Width Modulation）制御することによって出力コネクタ５００から出力する直流電流を調整してＬＥＤモジュール４を調光するように構成されている。ただし、このような電力変換回路及び制御回路の回路構成は従来周知であるから詳細な回路構成の図示及び説明は省略する。
【００４０】
点灯装置５は、回路基板５０を備えている（図１０参照）。回路基板５０は、例えば、矩形平板状に形成されている。回路基板５０には電力変換回路及び制御回路を構成する種々の回路部品５８が実装されている。
【００４１】
回路基板５０の前面における右端に第１端子台５１が実装されている。第１端子台５１は、２極のねじなし締結具を有する端子台である。そして、第１端子台５１の各極に、２本の第１電源線５２のうちの対応する第１電源線５２の１本がそれぞれ電気的に接続されている。なお、２本の第１電源線５２の各導体が第１電源コネクタ５３の２つのコンタクトのうちの対応するコンタクトと電気的に接続されている。
【００４２】
回路基板５０の前面における左端に第２端子台５４が実装されている。第２端子台５４は、第１端子台５１と同じ２極のねじなし締結具を有する端子台である。そして、第２端子台５４の各極に、２本の第２電源線５５のうちの対応する第２電源線５５の１本がそれぞれ電気的に接続されている。さらに、２本の第２電源線５５の各導体が第２電源コネクタ５６の２つのコンタクトのうちの対応するコンタクトと電気的に接続されている。なお、第１端子台５１の各極と第２端子台５４の各極とは、回路基板５０の導体によって電気的に接続されている。また、第１電源コネクタ５３であるプラグコネクタは、第２電源コネクタ５６であるレセプタクルコネクタと接続可能に構成されている。
【００４３】
さらに、回路基板５０の前面における左端には、１つの出力コネクタ５００と、２つの制御用コネクタ５０１、５０２とが実装されている。出力コネクタ５００は、回路基板５０の導体を介してバックコンバータの出力端子と電気的に接続されている。そして、出力コネクタ５００は、ＬＥＤモジュール４（４Ａ）の２本の電線４３Ｃ、４３Ｄの先端に設けられているプラグコネクタ４５と接続される。
【００４４】
また、２つの制御用コネクタ５０１、５０２の各々に、制御信号を伝送するための信号ケーブル５０３、５０４が電気的に接続される。一方の制御用コネクタ５０１と電気的に接続される信号ケーブル５０３は、回路基板５０の左側に引き出されている。他方の制御用コネクタ５０２と電気的に接続される信号ケーブル５０４は、回路基板５０の右側に引き出されている。一方の信号ケーブル５０３の先端には第１信号コネクタ５０５が電気的に接続されている。他方の信号ケーブル５０４の先端には第２信号コネクタ５０６が電気的に接続されている。また、第１信号コネクタ５０５であるレセプタクルコネクタは、第２信号コネクタ５０６であるプラグコネクタと接続可能に構成されている。
【００４５】
筐体６は、長尺の底壁６０と、底壁６０の長手方向に沿った上端及び下端から前方へ突出する一対の側壁６１とを有する角樋状に形成されている（図１０参照）。なお、筐体６は、ポリカーボネート樹脂などの合成樹脂の押出成形体である。
【００４６】
各側壁６１の外側面には内側に凹んだ凹所６１０が形成されている（図８及び図１０参照）。
【００４７】
各側壁６１には被係合部６２がそれぞれ設けられている。被係合部６２は、長尺の矩形平板状であって、凹所６１０の後端から前方に向かって凹所６１０の底面と平行に突出するように形成されている（図８参照）。
【００４８】
各側壁６１には、係合溝６３と係合突部６４がそれぞれ設けられている。係合溝６３は、側壁６１の内側面の後端部分において、側壁６１の長手方向（左右方向）の全長にわたって上下方向に凹むように形成されている（図８及び図１０参照）。
【００４９】
係合突部６４は、側壁６１の内側面の前端部分において、側壁６１の長手方向（左右方向）の全長にわたって上下方向に突出するように形成されている（図８及び図１０参照）。なお、図示は省略しているが、底壁６０の長手方向（左右方向）の両端寄りの位置に円形のねじ挿通孔がそれぞれ１つずつ貫通している。
【００５０】
カバー７は、前方から見た形状が長方形状であるカバー本体７０と、カバー本体７０の一対の長辺の各々から後方へ突出する一対の脚部７１とを有している（図１０参照）。カバー本体７０と一対の脚部７１とは、例えば、ポリカーボネート樹脂などの合成樹脂の押出成形によって一体に形成されている。
【００５１】
カバー本体７０は、前方に向かって弧状に湾曲している。カバー本体７０は、ＬＥＤモジュール４から放射される光を透過及び拡散させるように構成されている（図９参照）。
【００５２】
一対の脚部７１の各々は、長尺の板状に形成されている。各脚部７１は、保持部７２及び引掛部７３を有している（図１０参照）。
【００５３】
保持部７２は、脚部７１の内側面における前端部分において、脚部７１の長手方向（左右方向）の全長にわたって上下方向に突出する一対の突片７２０を有している。一対の突片７２０は、前後方向に間隔を空けて対向している。保持部７２は、一対の突片７２０の間にＬＥＤ基板４１の端部を挟み込むようにしてＬＥＤモジュール４を保持する（図８参照）。
【００５４】
引掛部７３は、長尺の三角柱状に形成されている。引掛部７３は、脚部７１の外側面における後端部分において、脚部７１の長手方向の全長にわたって上下方向に突出している（図８及び図１０参照）。引掛部７３は、筐体６の側壁６１に設けられている係合突部６４に後方から引っ掛かる（図８参照）。
【００５５】
２つのエンド部材８は、互いにほぼ同じ構造を有している（図１０参照）。なお、以下の説明においては、カバー７の左側に配置されるエンド部材８を第１のエンド部材８Ａと呼び、カバー７の右側に配置されるエンド部材８を第２のエンド部材８Ｂと呼ぶ場合がある。
【００５６】
エンド部材８は、第１エンド部８１、第２エンド部８２、連結部８３を有している。エンド部材８は、更に、底板部８４、一対の側板部８５、一対の突部８６を有している。なお、エンド部材８は、ポリブチレンテレフタレート樹脂などの合成樹脂の成形体で構成されている。
【００５７】
第１エンド部８１は、おおよそ半円板状に形成されている（図５及び図６参照）。第１エンド部８１の内側面（カバー７と対向する側の面）に弧状のリブ８１０が設けられている（図８参照）。
【００５８】
第２エンド部８２は、おおよそ四角形の平板状に形成されている（図５及び図６参照）。第２エンド部８２の外側（第１エンド部８１と対向する側）の側面にボス８２０が形成されている。ボス８２０は、軸方向が前後方向と平行となる略半円筒形状に形成されている。ボス８２０の後面に開口が設けられている。ボス８２０の開口からタッピンねじがねじ込まれる。つまり、ボス８２０の後面に、後述する紐保持金具８２２がねじ止めされる。
【００５９】
第１のエンド部材８Ａの第２エンド部８２には、第２電源コネクタ５６が取り付けられている（図７参照）。また、第１のエンド部材８Ａの第２エンド部８２には、信号ケーブル５０３が取り付けられている（図５参照）。信号ケーブル５０３は、第２エンド部８２を貫通した状態で第２エンド部８２に取り付けられている。
【００６０】
第２のエンド部材８Ｂの第２エンド部８２には、第１電源線５２及び信号ケーブル５０４が取り付けられている（図６及び図７参照）。第１電源線５２及び信号ケーブル５０４は、第２エンド部８２を貫通した状態で第２エンド部８２に取り付けられている。ただし、第１電源線５２及び信号ケーブル５０４には張力止め５７が取り付けられている（図７参照）。
【００６１】
連結部８３は、前後方向から見た形状が長方形である底面部８３０と、底面部８３０の上下両端からそれぞれ前方へ突出する一対の側面部８３１とを有している（図１０参照）。底面部８３０及び一対の側面部８３１の長手方向の一方の端部に第１エンド部８１が連結され、底面部８３０及び一対の側面部８３１の長手方向の他方の端部に第２エンド部８２が連結されている（図７及び図１０参照）。
【００６２】
底面部８３０は、各側面部８３１から底板部８４の上下方向の中央に向かうにつれて階段状に前方へ突出するように形成されている（図１０参照）。
【００６３】
各側面部８３１の長手方向の端部のうち第１エンド部８１と反対側の端部に、それぞれ突部８６が設けられている。各突部８６は、概ね矩形平板状に形成され、対応する側面部８３１の端部から側面部８３１と平行に突出している。なお、各突部８６の後端部分は、内側（上側の突部８６の下側、下側の突部８６の上側）に向かって湾曲している（図８参照）。
【００６４】
エンド部材８の底板部８４は矩形平板状に形成されている。底板部８４は、第２エンド部８２の側面から連結部８３と反対の側に突出している（図１０参照）。底板部８４の前面における先端部分には、１つのねじ止め部８４０及び２つの突起８４１が前方へ突出するように設けられている（図１０参照）。
【００６５】
ねじ止め部８４０は、底板部８４の後面に開口を有する有底円筒形状に形成されている。ねじ止め部８４０は、底板部８４の前面における短手方向（上下方向）のほぼ中央に配置されている。ねじ止め部８４０の内周面には、底板部８４の後面の開口からねじ込まれるタッピンねじ（固定ねじ８００）によってねじ溝が形成される。
【００６６】
２つの突起８４１は、底板部８４の前面における短手方向の両端に配置されている。各突起８４１は、角柱状に形成されている（図１０参照）。
【００６７】
一対の側板部８５は、底板部８４の前面における短手方向（上下方向）の両端から前方へ突出している。各側板部８５は、矩形平板状に形成されている。また、各側板部８５の外側面に係合突起８５０が設けられている。係合突起８５０は、側板部８５の外側面における後端部分から側板部８５の長手方向（左右方向）の全長にわたって直線状に突出している（図１０参照）。
【００６８】
次に、光源装置１５の組立手順を説明する。まず、組立作業を行う作業者は、第１のＬＥＤ基板４１Ａの上側溝４１０Ａと下側溝４１１Ａに連結部材９の一対の第１係合部９１を後方から１つずつ挿通し、第１のＬＥＤ基板４１Ａに近付けるように連結部材９に押力を加える。すると、第１のＬＥＤ基板４１Ａの縁に押されて一対の第１係合部９１が第１のＬＥＤ基板４１Ａから離れるように外向きに撓む。そして、各第１係合部９１の先端が第１のＬＥＤ基板４１Ａの縁を乗り越えると、撓んでいた各第１係合部９１が元の状態に戻り、各第１係合部９１が第１のＬＥＤ基板４１Ａの縁に係合する。さらに、作業者は、第２のＬＥＤ基板４１Ｂの上側溝４１０Ｂと下側溝４１１Ｂに連結部材９の一対の第２係合部９２を後方から１つずつ挿通し、第２のＬＥＤ基板４１Ｂに近付けるように連結部材９に押力を加える。すると、第２のＬＥＤ基板４１Ｂの縁に押されて一対の第２係合部９２が第２のＬＥＤ基板４１Ｂから離れるように外向きに撓む。そして、各第２係合部９２の先端が第２のＬＥＤ基板４１Ｂの縁を乗り越えると、撓んでいた各第２係合部９２が元の状態に戻り、各第２係合部９２が第２のＬＥＤ基板４１Ｂの縁に係合する。このようにして第１のＬＥＤ基板４１Ａと第２のＬＥＤ基板４１Ｂとが長手方向に沿って並んだ状態で連結部材９によって連結される。
【００６９】
続いて、作業者は、電線４３Ａを第１のＬＥＤ基板４１Ａのレセプタクルコネクタ４２Ａと第２のＬＥＤ基板４１Ｂのレセプタクルコネクタ４２Ｅに各々電気的に接続した後、上側の電線保持部９３に電線４３Ａを保持させる。さらに、作業者は、電線４３Ｂを第１のＬＥＤ基板４１Ａのレセプタクルコネクタ４２Ｂと第２のＬＥＤ基板４１Ｂのレセプタクルコネクタ４２Ｆに各々電気的に接続した後、下側の電線保持部９３に電線４３Ｂを保持させる。
【００７０】
続いて、作業者は、第１のＬＥＤ基板４１Ａのレセプタクルコネクタ４２Ｃに電線４３Ｃを接続し、第１のＬＥＤ基板４１Ａのレセプタクルコネクタ４２Ｄに電線４３Ｄを接続する。作業者は、これら２本の電線４３Ｃ、４３Ｄを３つの電線挿通溝４４Ａ〜４４Ｃに挿通して第１のＬＥＤ基板４１Ａに電線４３Ｃ、４３Ｄを保持させる。
【００７１】
以上の手順で光源装置１５の組立作業が完了する。ただし、上述した組立手順は一例であって、一部の手順の順番を入れ替えることも可能である。
【００７２】
ところで、光源装置１５において、第２のＬＥＤ基板４１Ｂが第１のＬＥＤ基板４１Ａと同一の構造を持っていても構わない。第１のＬＥＤ基板４１Ａは、長手方向（左右方向）の両端部のそれぞれに上側溝４１０Ａ及び下側溝４１１Ａが設けられている（図１０参照）。また、図１０では図示を省略しているが、第１のＬＥＤ基板４１Ａは、右側の端部と同様に左側の端部にも２つのレセプタクルコネクタが実装されている。左側に配置される第１のＬＥＤ基板４１Ａの右側の端部の２つのレセプタクルコネクタ４２Ａ、４２Ｂと、右側に配置される第１のＬＥＤ基板４１Ａ（第２のＬＥＤ基板に相当）の左側の端部の２つのレセプタクルコネクタとが２本の電線４３Ａ、４３Ｂで電気的に接続される。ただし、２つのレセプタクルコネクタ４２Ａ、４２Ｂの電気的な極性が異なっているので、各第１のＬＥＤ基板４１Ａの２つのレセプタクルコネクタ４２Ａ、４２Ｂを正しく組み合わせて接続する必要がある。
【００７３】
そこで、連結部材９及び第１のＬＥＤ基板４１Ａのそれぞれに、２枚の第１のＬＥＤ基板４１Ａの２つのレセプタクルコネクタ４２Ａ、４２Ｂが正しい組み合わせで接続されるように、２枚の第１のＬＥＤ基板４１Ａ同士の向きを規制する構造が設けられている。具体的には、連結部材９において、支持部９０の上部に支持されている第１係合部９１と第２係合部９２の間隔Ｓ１が、支持部９０の下部に支持されている第１係合部９１と第２係合部９２の間隔Ｓ２よりも大きくなっている（図１２参照）。また、第１のＬＥＤ基板４１Ａの長手方向の端から上側溝４１０Ａまでの距離が、第１のＬＥＤ基板４１Ａの長手方向の端から下側溝４１１Ａまでの距離よりも大きくなっている（図１２参照）。したがって、光源装置１５は、２枚の第１のＬＥＤ基板４１Ａの上側溝４１０Ａ同士が第１のＬＥＤ基板４１Ａの長手方向に沿って隣り合うように配置されなければ、連結部材９によって２枚の第１のＬＥＤ基板４１Ａを連結できないように構成されている。ゆえに、光源装置１５は、第１のＬＥＤ基板４１Ａと、第２のＬＥＤ基板に相当する第１のＬＥＤ基板４１Ａとが、誤った向きで連結部材９によって連結されることを防ぐことができる。
【００７４】
次に、光源ユニット３の組立手順を説明する。ただし、第１のエンド部材８Ａの第２エンド部８２に対する第２電源コネクタ５６及び信号ケーブル５０３の取付と、第２のエンド部材８Ｂの第２エンド部８２に対する第１電源線５２及び信号ケーブル５０４の取付とは事前に完了している。
【００７５】
まず、組立作業を行う作業者は、カバー７の一端（例えば、左端）から保持部７２の一対の突片７２０の間にＬＥＤ基板４１の端部を挿入することにより、カバー７の保持部７２にＬＥＤモジュール４（光源装置１５）を保持させる（図７及び図８参照）。このとき、第１のＬＥＤ基板４１Ａ及び第２のＬＥＤ基板４１Ｂと二対の突起９４の間に、カバー７の後側の突片７２０が挟み込まれる（図１５参照）。さらに、作業者は、カバー７の左端部を第１のエンド部材８Ａにおける一対の側面部８３１及び突部８６の間に挿入する。
【００７６】
続いて、作業者は、ＬＥＤモジュール４のプラグコネクタ４５を点灯装置５の出力コネクタ５００に接続する。また、作業者は、第２電源コネクタ５６に接続されている第２電源線５５を点灯装置５の第２端子台５４に接続し、第１信号コネクタ５０５に接続されている信号ケーブル５０３を制御用コネクタ５０１に接続する。さらに、作業者は、第１電源コネクタ５３に接続されている第１電源線５２を点灯装置５の第１端子台５１に接続し、第２信号コネクタ５０６に接続されている信号ケーブル５０４を点灯装置５の制御用コネクタ５０２に接続する。
【００７７】
次に、作業者は、点灯装置５と、ＬＥＤモジュール４を保持させたカバー７とを筐体６に収納する。まず、作業者は、筐体６の左端からカバー７の引掛部７３を挿入し、筐体６の係合突部６４に引掛部７３を係合させて筐体６にカバー７を取り付ける。また、作業者は、回路基板５０の左端に設けられている一対のかん合孔５０７に第１のエンド部材８Ａの一対の突起８４１を後方からかん合させる。作業者は、筐体６の左端から点灯装置５の回路基板５０の上下両側の端部を筐体６の係合溝６３に挿入し、筐体６の係合溝６３に回路基板５０の端部を係合して筐体６に点灯装置５を取り付ける（図７及び図８参照）。さらに、作業者は、第１のエンド部材８Ａの一対の側板部８５の外側面に設けられている係合突起８５０を筐体６の係合溝６３に挿入し、筐体６の係合溝６３に第１のエンド部材８Ａの係合突起８５０を係合して筐体６の左端に第１のエンド部材８Ａを取り付ける。また、作業者は、第１のエンド部材８Ａの一対の突部８６と、カバー７の一対の脚部７１との間に生じる空間に筐体６の各側壁６１の前端部分を挿入する。
【００７８】
続いて、作業者は、カバー７の右端部を第２のエンド部材８Ｂにおける一対の側面部８３１及び突部８６の間に挿入する。さらに、作業者は、第２のエンド部材８Ｂの一対の側板部８５の外側面に設けられている係合突起８５０を筐体６の係合溝６３に挿入し、筐体６の係合溝６３に第２のエンド部材８Ｂの係合突起８５０を係合して筐体６の右端に第２のエンド部材８Ｂを取り付ける。
【００７９】
最後に、作業者は、筐体６にエンド部材８をねじ止めする。具体的には、作業者は、筐体６の底壁６０の左端に設けられている貫通孔６００に、タッピンねじである固定ねじ８００を挿通する。そして、作業者は、貫通孔６００に挿通した固定ねじ８００を、第１のエンド部材８Ａのねじ止め部８４０にねじ込むことにより、第１のエンド部材８Ａを筐体６にねじ止めする（図７参照）。同様に、作業者は、筐体６の底壁６０の右端に設けられている貫通孔６００に、タッピンねじである固定ねじ８００を挿通する。そして、作業者は、貫通孔６００に挿通した固定ねじ８００を、第２のエンド部材８Ｂのねじ止め部８４０にねじ込むことにより、第２のエンド部材８Ｂを筐体６にねじ止めする（図７参照）。
【００８０】
以上の手順で光源ユニット３の組立作業が完了する。ただし、上述した組立手順は一例であって、一部の手順の順番を入れ替えることも可能である。
【００８１】
ここで、光源ユニット３において、カバー７を形成する材料（ポリカーボネート樹脂）とエンド部材８を形成する材料（ＰＢＴ樹脂）とが異なり、かつ、カバー７の長手方向の寸法がエンド部材８の長手方向の寸法よりもかなり大きく（長く）なっている。そのため、光源ユニット３では、ＬＥＤモジュール４の点灯中におけるカバー７の膨張量がエンド部材８の膨張量よりも大きくなると考えられる。したがって、ＬＥＤモジュール４が消灯している状態で第１エンド部８１とカバー７の端部とが接触していると、ＬＥＤモジュール４の点灯中にカバー７が膨張したときにカバー７と第１エンド部８１に過大な応力が生じる可能性がある。
【００８２】
そこで、光源ユニット３においては、常温において第１エンド部８１とカバー７の端部との間に僅かな隙間（例えば、１ｍｍ〜２ｍｍ）が空くようにカバー７の寸法等が設計されている。そのため、ＬＥＤモジュール４の点灯中にカバー７が熱膨張しても第１エンド部８１にカバー７の端部が接触し難くなるので、カバー７と第１エンド部８１に過大な応力が生じる可能性を大きく下げることができる。ただし、カバー７の端部と第１エンド部８１の間に隙間が存在すると、塵埃や虫などの異物が隙間を通して光源ユニット３内（カバー７とＬＥＤモジュール４に囲まれた空間内）に侵入するおそれがある。
【００８３】
そのため、光源ユニット３においては、各エンド部材８Ａ、８Ｂの第１エンド部８１とカバー７の両端部との間に、それぞれシール部３０が配置されている（図７及び図１０）。シール部３０は、例えば、シリコーンゴムによって略半円環状に形成されている（図１０参照）。シール部３０は、第１エンド部８１とカバー７に密着することで第１エンド部８１とカバー７の隙間をシールしている（図７参照）。シール部３０が第１エンド部８１とカバー７の隙間をシールすることにより、光源ユニット３内への異物の侵入を抑えつつ、熱膨張時にカバー７の端部と第１エンド部８１に生じる応力を低減することができる。
【００８４】
器具本体２は、図１に示すように、本体部２０と、一対の支持部材２１とを備えている。本体部２０は、亜鉛鋼板などの金属板によって角樋状に形成されている。本体部２０は、長尺の矩形平板状に形成された底部２００と、底部２００の長手方向（左右方向）に沿った両端（上端及び下端）からそれぞれ前方へ突出する一対の側部２０１とを有している。
【００８５】
底部２００は、一対の被かん合部２０２と、一対の連結部２０５と、一対の取付孔２０６と、複数の突部２０７とを有している。
【００８６】
被かん合部２０２は、３つのかん合孔（第１かん合孔２０２Ａ、第２かん合孔２０２Ｂ、第３かん合孔２０２Ｃ）を有している。第１かん合孔２０２Ａと第２かん合孔２０２Ｂは同一寸法の角孔であり、第３かん合孔２０２Ｃは第１かん合孔２０２Ａ及び第２かん合孔２０２Ｂよりも小さい角孔である。第１かん合孔２０２Ａと第３かん合孔２０２Ｃと第２かん合孔２０２Ｂは、底部２００の長手方向に沿って一列に並ぶように配置されている。つまり、第１かん合孔２０２Ａと第２かん合孔２０２Ｂの間に第３かん合孔２０２Ｃが配置されている。
【００８７】
連結部２０５は、底部２００の長手方向の一端（左端）と他端（右端）にそれぞれ１つずつ設けられている。左側の連結部２０５は、底部２００の左端において、底部２００の短手方向（上下方向）の中央より上の範囲全体から外側（左側）に突出する矩形平板状に形成されている。一方、右側の連結部２０５は、底部２００の右端において、底部２００の短手方向の中央より下の範囲全体から外側（右側）に突出する矩形平板状に形成されている。
【００８８】
取付孔２０６は、底部２００の左端及び右端にそれぞれ１つずつ設けられている。取付孔２０６は長孔である。各取付孔２０６は、長軸の方向を底部２００の長手方向に一致させるように底部２００を貫通している。
【００８９】
複数の突部２０７は、底部２００の左端及び右端にそれぞれ２つずつの計４つ設けられている。各突部２０７は、底部２００の左端及び右端において、取付孔２０６の上下両側から後方に向かって突出するドーム状に形成されている（図１及び図３〜図６参照）。
【００９０】
各側部２０１は、一対の開口部２０３と、一対の規制部２０４と、紐係止部２０８とを有している（図１参照）。
【００９１】
開口部２０３は、側部２０１の左端及び右端における前端部分に１つずつ設けられている。各開口部２０３は、上下方向から見た外形形状が長方形である溝状に形成されている。なお、各開口部２０３は、本体部２０の長手方向において第２かん合孔２０２Ｂと第３かん合孔２０２Ｃとほぼ同じ位置に配置されている。
【００９２】
規制部２０４は、側部２０１において開口部２０３の３つの辺（縁）から側部２０１の外側に突出する３つの突片２０４１と、３つの突片２０４１の先端と繋がった規制片２０４０とを有している。規制片２０４０は、長方形の平板状に形成されている。なお、規制部２０４（規制片２０４０及び３つの突片２０４１）は、側部２０１を構成している金属板が絞り加工されることによって側部２０１と一体に形成されることが好ましい。
【００９３】
紐係止部２０８は、上側の側部２０１の右端と、下側の側部２０１の左端とにそれぞれ１つずつ設けられている（図１参照）。各紐係止部２０８は、正方形状の挿通孔２０８０と、円形の抜け止め孔２０８１と、挿通孔２０８０の１つの頂点と抜け止め孔２０８１とを連結する連結溝２０８２とを有している。紐係止部２０８は、側部２０１を構成している金属板が打ち抜き加工されることによって、挿通孔２０８０と抜け止め孔２０８１と連結溝２０８２が一体に形成されることが好ましい。
【００９４】
支持部材２１は、筐体６の側壁６１に設けられた被係合部６２と係合する一対の係合部２１０と、各係合部２１０を側壁６１の外側面と接離する方向（上下方向）に変位させる変位部２１１とを有している。また、支持部材２１は、係合部２１０が被係合部６２と係合する向きに筐体６を押圧するばね部２１２と、本体部２０に設けられた被かん合部２０２とかん合するかん合部２１３とを有している。さらに、支持部材２１は、矩形平板状の板部２１４を有している。なお、支持部材２１が有する一対の係合部２１０、一対の変位部２１１、ばね部２１２、かん合部２１３並びに板部２１４は、ステンレス鋼板などの金属板が打ち抜き加工及び曲げ加工されることによって一体に形成されている。
【００９５】
一対の変位部２１１は、板部２１４の上端と下端からそれぞれ１つずつ突出している。各変位部２１１は、板部２１４の上端又は下端から斜め前方へ突出する第１変位片２１１Ａと、第１変位片２１１Ａの先端から前方へ突出する第２変位片２１１Ｂとを有している。板部２１４の上端から突出する変位部２１１は上向きに撓むように変位し、板部２１４の下端から突出する変位部２１１は下向きに撓むように変位する。
【００９６】
一対の係合部２１０は、左右方向から見て略Ｕ字状に形成されている。各係合部２１０は、一対の変位部２１１のうちの対応する変位部２１１の第２変位片２１１Ｂの先端（前端）から後方へＵターンするように突出している（図１７参照）。
【００９７】
ばね部２１２は、前方から見て略Ｃ字状に形成されている（図１０及び図１６参照）。ばね部２１２は、板部２１４の左右方向の端から板部２１４と離れる向きに突出している。ばね部２１２の両腕は、板部２１４から離れるにつれて徐々に前方へ突出するように湾曲している。ばね部２１２の両腕を繋いでいるばね部２１２の先端部分は、前方に向かって緩やかに突出している。なお、ばね部２１２の先端部分は、筐体６を押圧する押圧面２１２０と、押圧面２１２０から離れるにつれて筐体６との距離を大きくするように湾曲した曲面２１２１とを有している（図７参照）。
【００９８】
かん合部２１３は、第１かん合片２１３１と、第２かん合片２１３２と、第３かん合片２１３３と、第４かん合片２１３４と、かん合爪２１３５とを有している（図１参照）。ただし、第１かん合片２１３１、第２かん合片２１３２、第３かん合片２１３３、第４かん合片２１３４並びにかん合爪２１３５は、板部２１４に対して切り起こしなどの加工が施されることによって板部２１４と一体に形成されている。
【００９９】
第１かん合片２１３１は、板部２１４の中央部分を後方へ切り起こすようにして鉤形に形成されている。かん合爪２１３５は、第１かん合片２１３１の一部を前方へ切り起こすようにして矩形平板状に形成されている。
【０１００】
第２かん合片２１３２、第３かん合片２１３３並びに第４かん合片２１３４は、板部２１４の左右方向の端のうち、ばね部２１２と反対側の端に設けられている。第２かん合片２１３２は、板部２１４の端における上下方向の中央部分を後方へ切り起こすようにして鉤形に形成されている。第３かん合片２１３３は、板部２１４の端における第２かん合片２１３２の上側の部分で構成されている。第４かん合片２１３４は、板部２１４の端における第２かん合片２１３２の下側の部分で構成されている。第３かん合片２１３３及び第４かん合片２１３４のそれぞれの先端部分が前方へ曲げ起こされている。
【０１０１】
支持部材２１は、以下のような手順で本体部２０に固定される。支持部材２１の第１かん合片２１３１が本体部２０の第１かん合孔２０２Ａに前方から挿入され、支持部材２１の第２かん合片２１３２が本体部２０の第２かん合孔２０２Ｂに前方から挿入される。そして、支持部材２１が本体部２０の底部２００と平行に移動させられると、第１かん合片２１３１から切り起こされているかん合爪２１３５が本体部２０の第３かん合孔２０２Ｃに後方から挿入される。また、支持部材２１が本体部２０の底部２００と平行に移動させられると、第２かん合片２１３２が第２かん合孔２０２Ｂの側方へ移動して底部２００の後面に接触する。つまり、支持部材２１は、かん合爪２１３５を第３かん合孔２０２Ｃにかん合させることで底部２００に対する移動を規制し、かつ、第２かん合片２１３２と第３かん合片２１３３及び第４かん合片２１３４とで底部２００を挟むことによって本体部２０に固定される。なお、本体部２０に支持部材２１が固定された状態においては、支持部材２１の係合部２１０及び第２変位片２１１Ｂが、本体部２０の側部２０１の開口部２０３と上下方向において対向している。
【０１０２】
次に、照明器具１の施工手順を説明する。
【０１０３】
施工作業を行う作業者は、始めに造営材（例えば、壁）に器具本体２を取り付ける。作業者は、本体部２０の一対の取付孔２０６に木ねじなどの取付ねじを挿通して本体部２０を壁にねじ止めする。
【０１０４】
続いて、作業者は、光源ユニット３の筐体６を前方から本体部２０に挿入する。作業者は、筐体６の後端における上下両端部分で支持部材２１の係合部２１０を押することにより、支持部材２１の一対の変位部２１１を外向きに撓ませる。そして、変位部２１１の第２変位片２１１Ｂと係合部２１０は、側部２０１の開口部２０３を通過して側部２０１の外に変位する。ただし、第２変位片２１１Ｂと係合部２１０の変位は規制部２０４（規制片２０４０）によって規制される。
【０１０５】
作業者は、光源ユニット３の筐体６の後面に支持部材２１のばね部２１２の押圧面２１２０が接触した後もばね部２１２のばね力（押圧力）に抗して本体部２０に筐体６を挿入する。そして、支持部材２１の係合部２１０が側壁６１の凹所６１０に到達すると、撓んでいた変位部２１１が元の状態に戻る。そして、作業者が光源ユニット３から手を離すと、ばね部２１２に押圧された筐体６が前方へ移動し、支持部材２１の係合部２１０が筐体６の被係合部６２と係合する。このようにして、作業者は筐体６を一対の支持部材２１に支持させて光源ユニット３を本体部２０に取り付ける。
【０１０６】
上述のように作業者は、ドライバなどの工具を使わずに器具本体２に光源ユニット３を取り付けることができる。そのため、照明器具１は、設置に要する作業時間の短縮を図ることができる。
【０１０７】
ここで、被係合部６２は、側壁６１の長手方向の全長にわたって設けられており、筐体６の長手方向において係合部２１０よりも幅広に形成されている。そのため、係合部２１０と被係合部６２とは、側壁６１の長手方向に沿って互いに移動可能に係合している。つまり、光源ユニット３の筐体６は、器具本体２に対して、器具本体２の本体部２０の長手方向に沿って移動可能に支持部材２１に支持されている。このように筐体６が本体部２０の長手方向に沿って移動可能に支持部材２１に支持されているため、筐体６が熱膨張した場合に支持部材２１から筐体６に過大な応力が印加されることを防ぐことができる。ただし、光源ユニット３の筐体６の移動範囲（被係合部６２に対する係合部２１０の移動範囲）は、係合部２１０がエンド部材８の第２エンド部８２に接触しない範囲に限られる。つまり、本実施形態の照明器具１においては、エンド部材８の第２エンド部８２が、係合部２１０の移動範囲を制限する制限部に相当する。
【０１０８】
次に、本実施形態の照明システム１０を説明する。照明システム１０は、複数の照明器具１を有している。ただし、照明システム１０が有する複数の照明器具１は、長手方向の大きさ（全長）が異なる数種類の照明器具１を含んでいる。例えば、照明システム１０は、図１８に示すように、標準の長さの照明器具１（１Ａ）と、標準の長さの倍の長さを有する照明器具１（１Ｂ）とを含んでいる。ただし、２台の照明器具１Ａ、１Ｂは長手方向の大きさ（全長）が異なる点を除いてほぼ同じ構成を有している。
【０１０９】
２台の照明器具１Ａ、１Ｂは、長手方向に沿って一列に並べて配置される。ここで、照明器具１Ａの器具本体２と照明器具１Ｂの器具本体２は、各々の器具本体２の本体部２０に設けられている連結部２０５によって連結される。本体部２０の長手方向の両端に設けられている連結部２０５は、本体部２０の長手方向に沿った中心線に対して対称である。そのため、各本体部２０の連結部２０５同士が上下方向及び左右方向にかん合することにより、２つの本体部２０同士を長手方向に沿って一列に並ぶように互いに機械的に連結させることができる。
【０１１０】
そして、壁に固定された各々の本体部２０に、照明器具１Ａ、１Ｂのそれぞれの光源ユニット３が取り付けられる。この場合、照明器具１Ａの第２電源コネクタ５６と、照明器具１Ｂの第１電源コネクタ５３とが電気的に接続される（図２０）。つまり、２台の照明器具１Ａ、１Ｂには、電源線の送り配線によって交流電力が供給される。また、照明器具１Ａの第１信号コネクタ５０５と、照明器具１Ｂの第２信号コネクタ５０６とが電気的に接続される。つまり、２台の照明器具１Ａ、１Ｂには信号線の送り配線によって制御信号が伝送される。
【０１１１】
ここで、光源ユニット３の長手方向の両端においては、カバー７の端部及びエンド部材８の一部が筐体６よりも外側にはみ出している。さらに、筐体６の長手方向の両端の外側には、本体部２０の側部２０１が配置されている。つまり、互いに電気的に接続されている第１電源コネクタ５３と第２電源コネクタ５６、及び互いに電気的に接続されている第１信号コネクタ５０５と第２信号コネクタ５０６の上下方向への移動範囲が一対の側部２０１によって規制される。そのため、前方から見たときに、第１電源コネクタ５３、第２電源コネクタ５６、第１信号コネクタ５０５並びに第２信号コネクタ５０６が器具本体２の外にはみ出さず、照明システム１０の外観品質の向上を図ることができる。しかも、照明器具１（１Ａ；１Ｂ）においては、第１電源コネクタ５３等の移動範囲を規制するための部品が不要であるから、器具本体２及び光源ユニット３とは別の部品を必要とする場合と比較して施工作業の作業性の向上を図ることができる。
【０１１２】
また、照明システム１０は、入線金具１１と終端金具１２を有している。
【０１１３】
入線金具１１は、図２１及び図２２に示すように、ベース金具１１０と、入線用カバー１１１と、固定ねじ１１２とを有している。ベース金具１１０は、平板状の固定板１１００と、固定板１１００に繋がった平板状の背板１１０１と、背板１１０１の先端から前方へ突出する縦板１１０２と、縦板１１０２の前端から背板１１０１と平行に突出する突片１１０３とを有している（図２２参照）。また、突片１１０３にはめねじ部１１０４が設けられている。
【０１１４】
固定板１１００は、長孔からなるねじ挿通孔を有している。本体部２０の取付孔２０６に挿通される取付ねじが固定板１１００のねじ挿通孔にも挿通される。つまり、固定板１１００は、取付ねじによって本体部２０の底部２００に固定される。なお、背板１１０１は本体部２０の外に配置される。
【０１１５】
縦板１１０２には第１電線挿通口１１０５と第２電線挿通口１１０６が設けられている。第１電線挿通口１１０５は、縦板１１０２の上部に設けられている。第２電線挿通口１１０６は、縦板１１０２の下部に設けられている。
【０１１６】
入線用カバー１１１は、平板状の前板１１１０と、前板１１１０の上端及び下端から後方へ突出する一対の側板１１１１とを有している（図２２参照）。前板１１１０にはねじ挿通孔が貫通している。入線用カバー１１１は、前板１１１０のねじ挿通孔に挿通される固定ねじ１１２がベース金具１１０のめねじ部１１０４にねじ込まれることによってベース金具１１０に固定される。
【０１１７】
終端金具１２は、ベース金具と、終端用カバー１２１と、固定ねじ１２２とを有している（図２３参照）。ベース金具は、入線金具１１のベース金具１１０とほぼ同一の構成を有している。ただし、終端金具１２のベース金具においては、第１電線挿通口及び第２電線挿通口が設けられていない。
【０１１８】
終端用カバー１２１は、入線金具１１の入線用カバー１１１と同じく、平板状の前板１２１０と、前板１２１０の上端及び下端から後方へ突出する一対の側板１２１１とを有している（図２３参照）。前板１２１０にはねじ挿通孔が貫通している。終端用カバー１２１は、前板１２１０のねじ挿通孔に挿通される固定ねじ１２２がベース金具のめねじ部にねじ込まれることによってベース金具に固定される（図２３参照）。
【０１１９】
次に、照明システム１０の施工手順を更に詳しく説明する。
【０１２０】
まず、施工作業を行う作業者は、施工の対象である複数台の照明器具１（１Ａ；１Ｂ）の全ての器具本体２を一列に並ぶように配置して造営材（壁）に固定する。また、作業者は、一列に並んだ複数の器具本体２のうちの一方の端の器具本体２に入線金具１１のベース金具１１０を取り付け、一列に並んだ複数の器具本体２のうちの他方の端の器具本体２に終端金具１２のベース金具を取り付ける。
【０１２１】
作業者は、入線金具１１のベース金具１１０の第１電線挿通口１１０５に電源ケーブル１３を挿通し、ベース金具１１０の第２電線挿通口１１０６に制御信号用の信号ケーブル１４を挿通する。電源ケーブル１３は、外部の電源（例えば、商用の電力系統）に接続されている。ただし、電源ケーブル１３の先端には、第１電源コネクタ５３と同一の構造を有するプラグコネクタが接続されている。また、信号ケーブル１４は、制御信号の送信元であるコントローラに接続されている。ただし、信号ケーブル１４の先端には、第２信号コネクタ５０６と同一の構造を有するプラグコネクタが接続されている。
【０１２２】
続いて、作業者は、光源ユニット３の紐保持金具８２２に保持されている紐の先端部分を、ベース金具１１０を取り付けた器具本体２の紐係止部２０８に係止する。すなわち、作業者は、光源ユニット３と器具本体２を紐で繋ぐことによって、作業中の光源ユニット３の落下を防止している。
【０１２３】
作業者は、第１電線挿通口１１０５に挿通した電源ケーブル１３の先端に接続されたプラグコネクタを光源ユニット３の第２電源コネクタ５６に接続する。また、作業者は、第２電線挿通口１１０６に挿通した信号ケーブル１４の先端に接続されたプラグコネクタを光源ユニット３の第１信号コネクタ５０５に接続する。
【０１２４】
作業者は、光源ユニット３の第２電源コネクタ５６及び第１信号コネクタ５０５が配置されている側の筐体６の端部を器具本体２の本体部２０に挿入した後、光源ユニット３を回転させながら筐体６全体を本体部２０に挿入する。そして、作業者は、器具本体２の２つの支持部材２１に筐体６を支持させるようにして器具本体２に光源ユニット３を取り付ける。
【０１２５】
続いて、作業者は、最初に器具本体２に取り付けた光源ユニット３の第１電源コネクタ５３に、２台目の光源ユニット３の第２電源コネクタ５６を接続する。また、作業者は、最初に器具本体２に取り付けた光源ユニット３の第２信号コネクタ５０６に、２台目の光源ユニット３の第１信号コネクタ５０５を接続する。
【０１２６】
作業者は、２台目の光源ユニット３の第２電源コネクタ５６及び第１信号コネクタ５０５が配置されている側の筐体６の端部を２台目の器具本体２の本体部２０に挿入した後、２台目の光源ユニット３を回転させながら筐体６全体を本体部２０に挿入する。そして、作業者は、２台目の器具本体２の２つの支持部材２１に筐体６を支持させるようにして２台目の器具本体２に２台目の光源ユニット３を取り付ける。そして、作業者は、上述した手順を繰り返しながら、複数台の器具本体２の各々に、各器具本体２と対応する光源ユニット３を１台ずつ取り付ける。
【０１２７】
作業者は、終端金具１２のベース金具を取り付けた器具本体２に最後の光源ユニット３を取り付けた後、ベース金具に終端用カバー１２１をねじ止めして取り付ける。このとき、作業者は、ベース金具と終端用カバー１２１に囲まれた終端金具１２の内部に、最後の光源ユニット３の第１電源コネクタ５３と第２信号コネクタ５０６を収容する（図２３参照）。
【０１２８】
上述した手順によって照明システム１０の施工作業が完了する。照明システム１０は、複数台の照明器具１が送り配線によって外部の電源と接続されており、外部の電源からの給電を入切することで全ての照明器具１を点滅させることができる。また、照明システム１０は、複数台の照明器具１が送り配線によってコントローラと接続されており、コントローラから各照明器具１に伝送される制御信号により、全ての照明器具１を調光制御することができる。
【０１２９】
ここで、合成樹脂製の筐体６が熱膨張することを考慮して、隣接する２台の照明器具１（１Ａ；１Ｂ）の光源ユニット３の間に隙間Ｘ１が設けられている（図２０参照）。この隙間Ｘ１の大きさ（距離）は、例えば、５ｍｍ程度が好ましい。
【０１３０】
また、各照明器具１（１Ａ；１Ｂ）において、被係合部６２に対する係合部２１０の移動範囲は、２台の光源ユニット３の間の隙間Ｓ１の半分以下（例えば、２．５ｍｍ）であることが好ましい。つまり、各照明器具１（１Ａ；１Ｂ）における係合部２１０の移動範囲は、隣接した２台の照明器具１（１Ａ；１Ｂ）の光源ユニット３同士が接触しても２台の光源ユニット３の間に過大な応力が発生しない程度の範囲に設定されている。
【０１３１】
上述のように本発明の第１の態様に係る光源装置（１５）は、複数のＬＥＤモジュール（４）と、複数のＬＥＤモジュール（４）のうちで隣り合う第１のＬＥＤモジュール（４Ａ）と第２のＬＥＤモジュール（４Ｂ）とを連結する連結部材（９）とを備える。第１及び第２のＬＥＤモジュール（４Ａ；４Ｂ）を含む複数のＬＥＤモジュール（４）の各々は、１つ以上のＬＥＤ（４０）と、ＬＥＤ（４０）が表面に実装されているＬＥＤ基板（４１）とを有している。連結部材（９）は、第１のＬＥＤモジュール（４Ａ）が有する第１のＬＥＤ基板（４１Ａ）の縁に係合する１つ以上の第１係合部（９１）を有する。連結部材（９）は、第２のＬＥＤモジュール（４Ｂ）が有する第２のＬＥＤ基板（４１Ｂ）の縁に係合する１つ以上の第２係合部（９２）を有する。連結部材（９）は、第１係合部（９１）と第２係合部（９２）を支持する支持部（９０）を有する。連結部材（９）は、第１のＬＥＤ基板（４１Ａ）及び第２のＬＥＤ基板（４１Ｂ）の裏面側に支持部（９０）を配置した状態で第１のＬＥＤモジュール（４Ａ）と第２のＬＥＤモジュール（４Ｂ）を連結している。
【０１３２】
第１の態様に係る光源装置（１５）は、第１のＬＥＤ基板（４１Ａ）の表面に実装されているＬＥＤ（４０）及び第２のＬＥＤ基板（４１Ｂ）の表面に実装されているＬＥＤ（４０）から第１係合部（９１）及び第２係合部９２までの距離を大きくできる。その結果、第１の態様に係る光源装置（１５）は、ＬＥＤ（４０）から放射される光のけられを抑えつつ第１のＬＥＤ基板（４１Ａ）と第２のＬＥＤ基板（４１Ｂ）とを強固に連結することができる。
【０１３３】
本発明の第２の態様に係る光源装置（１５）は、第１の態様との組み合わせにより実現され得る。第２の態様に係る光源装置（１５）において、連結部材（９）は、第１係合部（９１）と第２係合部（９２）を各々２つ以上有していることが好ましい。２つ以上の第１係合部（９１）の各々は、第１のＬＥＤ基板（４１Ａ）の複数の縁のうちで第１のＬＥＤ基板（４１Ａ）に実装されているＬＥＤ（４０）を挟んで対向する２つ以上の縁に１つずつ係合するように構成されることが好ましい。２つ以上の第２係合部（９２）の各々は、第２のＬＥＤ基板（４１Ｂ）の複数の縁のうちで第２のＬＥＤ（４１Ｂ）に実装されているＬＥＤ（４０）を挟んで対向する２つ以上の縁に１つずつ係合するように構成されることが好ましい。
【０１３４】
第２の態様に係る光源装置（１５）は、連結部材（９）による第１のＬＥＤ基板（４１Ａ）と第２のＬＥＤ基板（４１Ｂ）との連結強度の向上を図ることができる。
【０１３５】
本発明の第３の態様に係る光源装置（１５）は、第１又は第２の態様との組み合わせにより実現され得る。第３の態様に係る光源装置（１５）において、第１のＬＥＤ基板（４１Ａ）の縁において、第１係合部（９１）が係合する部位に溝（上側溝４１０Ａ、下側溝４１１Ａ）が設けられていることが好ましい。第２のＬＥＤ基板（４１Ｂ）の縁において、第２係合部（９２）が係合する部位に溝（上側溝４１０Ｂ、下側溝４１１Ｂ）が設けられていることが好ましい。
【０１３６】
第３の態様に係る光源装置（１５）は、第１係合部（９１）を溝（上側溝４１０Ａ、下側溝４１１Ａ）に挿通させた状態で第１のＬＥＤ基板（４１Ａ）の縁に係合させる。第３の態様に係る光源装置（１５）は、第２係合部（９２）を溝（上側溝４１０Ｂ、下側溝４１１Ｂ）に挿通させた状態で第２のＬＥＤ基板（４１Ｂ）の縁に係合させる。したがって、第３の態様に係る光源装置（１５）は、第１係合部（９１）及び第２係合部（９２）を第１のＬＥＤ基板（４１Ａ）及び第２のＬＥＤ基板（４１Ｂ）の外にはみ出させないことにより、小型化を図ることができる。
【０１３７】
本発明の第４の態様に係る光源装置（１５）は、第１〜第３のいずれか１つの態様との組み合わせにより実現され得る。第４の態様に係る光源装置（１５）は、第１のＬＥＤ基板（４１Ａ）の表面に実装されて第１のＬＥＤ基板（４１）に実装されているＬＥＤ（４０）と電気的に接続されている１つ以上の第１コネクタ（レセプタクルコネクタ４２Ａ、４２Ｂ）を備えることが好ましい。第４の態様に係る光源装置（１５）は、第２のＬＥＤ基板（４１Ｂ）の表面に実装されて第２のＬＥＤ基板（４１Ｂ）に実装されているＬＥＤ（４０）と電気的に接続されている１つ以上の第２コネクタ（レセプタクルコネクタ４２Ｅ、４２Ｆ）を備えることが好ましい。第４の態様に係る光源装置（１５）は、第１コネクタ（レセプタクルコネクタ４２Ａ、４２Ｂ）と第２コネクタ（レセプタクルコネクタ４２Ｅ、４２Ｆ）を電気的に接続する１つ以上の電線（４３Ｃ、４３Ｄ）とを備えることが好ましい。連結部材（９）は、第１のＬＥＤ基板（４１Ａ）及び第２のＬＥＤ基板（４１Ｂ）の各々の表面側において、電線（４３Ｃ、４３Ｄ）を保持する１つ以上の電線保持部（９３）を有することが好ましい。
【０１３８】
第４の態様に係る光源装置（１５）は、連結部材（９）の電線保持部（９３）に電線（４３Ｃ、４３Ｄ）を保持させるので、ＬＥＤ（４０）から放射される光の電線（４３Ｃ、４３Ｄ）によるけられを抑えることができる。
【０１３９】
本発明の第５の態様に係る光源装置（１５）は、第４の態様との組み合わせにより実現され得る。第５の態様に係る光源装置（１５）において、第１コネクタ（レセプタクルコネクタ４２Ａ、４２Ｂ）は、第２のＬＥＤ基板（４１Ｂ）に隣接する第１のＬＥＤ基板（４１Ａ）の端部に配置されることが好ましい。第２コネクタ（レセプタクルコネクタ４２Ｅ、４２Ｆ）は、第１のＬＥＤ基板（４１Ａ）に隣接する第２のＬＥＤ基板（４１Ｂ）の端部に配置されていることが好ましい。第１のＬＥＤ基板（４１Ａ）の第１コネクタ（レセプタクルコネクタ４２Ａ、４２Ｂ）が配置されている端部に第１切欠き（４６Ａ）が設けられることが好ましい。第２のＬＥＤ基板（４１Ｂ）の第２コネクタ（レセプタクルコネクタ４２Ｅ、４２Ｆ）が配置されている端部に第２切欠き（４６Ｂ）が設けられることが好ましい。電線保持部（９３）は、第１切欠き（４６Ａ）及び第２切り欠き（４６Ｂ）に挿通されることが好ましい。
【０１４０】
第５の態様に係る光源装置（１５）は、第１切欠き（４６Ａ）及び第２切欠き（４６Ｂ）に電線保持部（９３）を挿通させて電線保持部（９３）を第１のＬＥＤ基板（４１Ａ）及び第２のＬＥＤ基板（４１Ｂ）の外にはみ出させない。その結果、第５の態様に係る光源装置（１５）は、電線保持部（９３）を第１のＬＥＤ基板（４１Ａ）及び第２のＬＥＤ基板（４１Ｂ）の外にはみ出させないことにより、小型化を図ることができる。
【０１４１】
本発明の第６の態様に係る光源装置（１５）は、第１〜第５の態様のいずれか１つとの組み合わせにより実現され得る。第６の態様に係る光源装置（１５）において、支持部（９０）は四角形の板状に形成されていることが好ましい。２つ以上の第１係合部（９１）のうちの１つの第１係合部（９１）と２つ以上の第２係合部（９２）のうちの１つの第２係合部（９２）とが支持部（９０）の１つの辺に第１の間隔（Ｓ１）を空けて並ぶように配置されることが好ましい。２つ以上の第１係合部（９１）のうちの別の１つの第１係合部（９１）と２つ以上の第２係合部（９２）のうちの別の１つの第２係合部（９２）とが支持部（９０）の別の１つの辺に第２の間隔（Ｓ２）を空けて並ぶように配置されることが好ましい。第１の間隔（Ｓ１）と第２の間隔（Ｓ２）が異なっていることが好ましい。
【０１４２】
第６の態様に係る光源装置（１５）は、第１のＬＥＤ基板（４１Ａ）と第２のＬＥＤ基板が誤った向きで連結部材（９）によって連結されることを防ぐことができる。
【０１４３】
本発明の第７の態様に係る光源装置（１５）は、第１〜第６の態様のいずれか１つとの組み合わせにより実現され得る。第７の態様に係る光源装置（１５）において、支持部（９０）は平板状に形成されていることが好ましい。支持部（９０）の第１係合部（９１）を支持する部分の幅と、支持部（９０）の第２係合部（９１）を支持する部分の幅とが、支持部（９０）の前記部分以外の支持部（９０）の幅よりも小さいことが好ましい。
【０１４４】
第７の態様に係る光源装置（１５）は、第１係合部（９１）及び第２係合部（９２）を撓み易くすることによって、第１係合部（９１）及び第２係合部（９２）を第１及び第２のＬＥＤ基板（４１Ａ；４１Ｂ）の縁に係合させる際の作業性の向上を図ることができる。
【０１４５】
本発明の第８の態様に係る照明装置（光源ユニット３）は、第１〜第７のいずれか１つの態様の光源装置（１５）と、光源装置（１５）を収容する筐体（６）とを備える。
【０１４６】
第８の態様に係る照明装置（光源ユニット３）は、ＬＥＤ（４０）から放射される光のけられを抑えつつ第１のＬＥＤ基板（４１Ａ）と第２のＬＥＤ基板（４１Ｂ）とを強固に連結することができる。
【０１４７】
本発明の第９の態様に係る照明器具（１）は、第８の態様の照明装置（光源ユニット３）と、照明装置（光源ユニット３）を支持する器具本体（２）とを有する。
【０１４８】
第９の態様に係る照明器具（１）は、ＬＥＤ（４０）から放射される光のけられを抑えつつ第１のＬＥＤ基板（４１Ａ）と第２のＬＥＤ基板（４１Ｂ）とを強固に連結することができる。
【０１４９】
本発明の第１０の態様に係る照明システム（１０）は、第９の態様の照明器具（１）を複数有する。複数の照明器具（１Ａ；１Ｂ）は、一列に並べて配置された状態で隣り合う２つの照明器具（１Ａ；１Ｂ）を互いに電気的に接続する接続部を有している。
【０１５０】
第１０の態様に係る照明システム（１０）は、ＬＥＤ（４０）から放射される光のけられを抑えつつ第１のＬＥＤ基板（４１Ａ）と第２のＬＥＤ基板（４１Ｂ）とを強固に連結することができる。
【符号の説明】
【０１５１】
１  照明器具
１Ａ；１Ｂ  照明器具
２  器具本体
３  光源ユニット（照明装置）
４  ＬＥＤモジュール
４Ａ  第１のＬＥＤモジュール
４Ｂ  第２のＬＥＤモジュール
９  連結部材
１０  照明システム
１５  光源装置
４０  ＬＥＤ
４１  ＬＥＤ基板
４１Ａ  第１のＬＥＤ基板
４１Ｂ  第２のＬＥＤ基板
４２Ａ；４２Ｂ  レセプタクルコネクタ（第１コネクタ）
４２Ｅ；４２Ｆ  レセプタクルコネクタ（第２コネクタ）
４３Ｃ；４３Ｄ  電線
４６Ａ  第１切欠き
４６Ｂ  第２切欠き
９０  支持部
９１  第１係合部
９２  第２係合部
９３  電線保持部
４１０Ａ；４１０Ｂ  上側溝（溝）
４１１Ａ；４１１Ｂ  下側溝（溝）
【図１】
2019067628.tif 000003
【図２】
2019067628.tif 000004
【図３】
2019067628.tif 000005
【図４】
2019067628.tif 000006
【図５】
2019067628.tif 000007
【図６】
2019067628.tif 000008
【図７】
2019067628.tif 000009
【図８】
2019067628.tif 000010
【図９】
2019067628.tif 000011
【図１０】
2019067628.tif 000012
【図１１】
2019067628.tif 000013
【図１２】
2019067628.tif 000014
【図１３】
2019067628.tif 000015
【図１４】
2019067628.tif 000016
【図１５】
2019067628.tif 000017
【図１６】
2019067628.tif 000018
【図１７】
2019067628.tif 000019
【図１８】
2019067628.tif 000020
【図１９】
2019067628.tif 000021
【図２０】
2019067628.tif 000022
【図２１】
2019067628.tif 000023
【図２２】
2019067628.tif 000024
【図２３】
2019067628.tif 000025